(57)【要約】【課題】  エレベータ乗場の建屋壁面に設置された呼びボタンを建物の利用状況に応じて移動し、高齢者や身体障害者が日常的にエレベータを利用できるエレベータ乗場の呼びボタン装置を提供すること。【解決手段】  エレベータ乗場の呼びボタン装置１３は、建屋壁面１に引出し自在に組込まれた呼びボタン装置本体１３ａと、建屋床５上に設けられた引出レール１６ａとを備えている。操作者は呼びボタン装置本体１３ａの前面に設けられたハンドル挿入口１４にハンドル１５を挿入して、呼びボタン装置本体１３ａを建屋壁面１から引き出す。呼びボタン装置本体１３ａは建屋壁面１から引出レール１６ａ上を移動する。操作者は呼びボタン装置本体１３ａを引出完了地点まで引き出し、この場所に呼びボタン装置本体１３ａを設置する。【選択図】  図１
2006117407.tif 000002
【特許請求の範囲】
【請求項１】
建屋壁面と建屋床とを有するエレベータ乗り場に設置されたエレベータ乗り場の呼びボタン装置において、
建屋壁面に引き出し自在に組み込まれ、前面に呼びボタンを有する呼びボタン装置本体と、
建屋床上に配置され、呼びボタン装置本体が移動する移動エリアとを備え、
呼びボタン装置本体は建屋床の移動エリアに沿って建屋壁面から引き出されることを特徴とするエレベータ乗場の呼びボタン装置。
【請求項２】
呼びボタン装置本体の側面に追加の呼びボタンが設けられていることを特徴とする請求項１記載のエレベータ乗場の呼びボタン装置。
【請求項３】
呼びボタン装置本体の上面に追加の呼びボタンが設けられていることを特徴とする請求項１または２記載のエレベータ乗場の呼びボタン装置。
【請求項４】
呼びボタン装置本体は駆動機構により移動エリアに沿って建屋壁面から引き出され、駆動機構は、予め定められたタイマーに基づいて作動することを特徴とする請求項１乃至３のいずれか記載のエレベータ乗場の呼びボタン装置。
【請求項５】
呼びボタン装置本体は駆動機構により移動エリアに沿って建屋壁面から引き出され、駆動機構は、作動ボタンにより作動することを特徴とする請求項１乃至３のいずれか記載のエレベータ乗場の呼びボタン装置。
【請求項６】
建屋壁面と建屋床とを有するエレベータ乗場に設置された乗場呼びボタン装置において、
建屋床内に引き出し自在に組み込まれ、建屋床内では水平方向に配置され、かつ建屋床上に回転しながら引き出されて垂直方向に自立する呼びボタン装置本体と、
呼びボタン装置本体を建屋床上において保持する保持機構と、を備えたことを特徴とするエレベータ乗り場の呼びボタン装置。
【請求項７】
建屋壁面と建屋床とを有するエレベータ乗場に設置された乗場呼びボタン装置において、
建屋床内に引き出し自在に組み込まれ、建屋床内で垂直方向に配置されかつ建屋床上に上昇しながら引き出されて垂直方向に自立する呼びボタン装置と、
呼びボタン装置本体を建屋床内から建屋床上に引き出す駆動機構と、を備えたことを特徴とするエレベータ乗り場の呼びボタン装置。
【発明の詳細な説明】
【技術分野】
【０００１】
本発明は、エレベータ乗場に設置されたエレベータ乗場の呼びボタン装置に関する。
【背景技術】
【０００２】
従来のエレベータ乗場の呼びボタン装置の一例を図９および図１０に示す。図９はエレベータが２台併設されたエレベータ乗場の外観図を示している。図９に示すように、エレベータ乗場にはエレベータかごに乗降するため、建屋壁面１にエレベータかごの出入口を開閉するドアパネル２ａ，２ｂが設置されている。また建屋壁面１のドアパネル２ａ，２ｂの上部には乗場位置表示灯３ａ，３ｂが設置され、ドアパネル２ａ，２ｂ間の建屋壁面１にはエレベータ２台共用の呼びボタン装置４が設置されている。エレベータ利用者は呼びボタン装置４を操作し、エレベータかごの到着を乗場にて待機する。
【０００３】
図１０は図９のＸ方向断面図であって、エレベータ乗場に設置された呼びボタン装置を示す水平断面を示す。乗場壁面１には乗場呼びボタン装置４を組み込むための開口が設けられ、呼びボタン装置４は箱８と、表面板７と、表面板７に組み込まれた呼びボタン６ａとを有し、乗場壁面１の開口に組み込まれている。箱８は乗場壁面１の壁本体９から延びる取付金具１０に、溶接により固定されている。そして昇降路１１から延びる配線用ケーブル１２が箱８の内部に延び、呼びボタンスイッチ６ｂから延びるコネクター２１ｂに接続されている。
【発明の開示】
【発明が解決しようとする課題】
【０００４】
従来のエレベータ乗り場の呼びボタン装置４は、建屋壁面１に固定されており、エレベータ乗場が混雑している場合、特に高齢者および車椅子使用者や、視覚障害を持つ身体障害者にとって、行先階を新規に登録することは非常に困難な状況であり、緊急時には利用できない。このような環境下ではエレベータだけでなく、建屋の利用が一般者に特化されてしまう。
【０００５】
本発明はこのような点を考慮してなされたものであり、建屋の利用状況に応じて、エレベータ乗場の環境を整備して、高齢者や身体障害者が日常的にエレベータを利用でき、建屋のあらゆる場所へアクセスできるエレベータ乗場の呼びボタン装置を提供することを目的とする。
【課題を解決するための手段】
【０００６】
本発明は、建屋壁面と建屋床とを有するエレベータ乗り場に設置されたエレベータ乗り場の呼びボタン装置において、建屋壁面に引き出し自在に組み込まれ、前面に呼びボタンを有する呼びボタン装置本体と、建屋床上に配置され、呼びボタン装置本体が移動する移動エリアとを備え、呼びボタン装置本体は建屋床の移動エリアに沿って建屋壁面から引き出されることを特徴とするエレベータ乗場の呼びボタン装置である。
【０００７】
本発明は、呼びボタン装置本体の側面に追加の呼びボタンが設けられていることを特徴とするエレベータ乗場の呼びボタン装置である。
【０００８】
本発明は、呼びボタン装置本体の上面に追加の呼びボタンが設けられていることを特徴とするエレベータ乗場の呼びボタン装置である。
【０００９】
本発明は、呼びボタン装置本体は駆動機構により移動エリアに沿って建屋壁面から引き出され、駆動機構は、予め定められたタイマーに基づいて作動することを特徴とするエレベータ乗場の呼びボタン装置である。
【００１０】
本発明は、呼びボタン装置本体は駆動機構により移動エリアに沿って建屋壁面から引き出され、駆動機構は、作動ボタンにより作動することを特徴とするエレベータ乗場の呼びボタン装置である。
【００１１】
本発明は、建屋壁面と建屋床とを有するエレベータ乗場に設置された乗場呼びボタン装置において、建屋床内に引き出し自在に組み込まれ、建屋床内では水平方向に配置され、かつ建屋床上に回転しながら引き出されて垂直方向に自立する呼びボタン装置本体と、呼びボタン装置本体を建屋床上において保持する保持機構と、を備えたことを特徴とするエレベータ乗り場の呼びボタン装置である。
【００１２】
本発明は、建屋壁面と建屋床とを有するエレベータ乗場に設置された乗場呼びボタン装置において、建屋床内に引き出し自在に組み込まれ、建屋床内で垂直方向に配置されかつ建屋床上に上昇しながら引き出されて垂直方向に自立する呼びボタン装置と、呼びボタン装置本体を建屋床内から建屋床上に引出す駆動機構と、を備えたことを特徴とするエレベータ乗り場の呼びボタン装置である。
【発明の効果】
【００１３】
本発明によれば、呼びボタン装置本体を建屋壁面から引出し、あるいは建屋床から引出すことができる。このため、エレベータ乗場が混雑していても、引出された呼びボタン装置本体の呼びボタンを操作して、呼び登録を容易に行うことができる。
【発明を実施するための最良の形態】
【００１４】
第１の実施の形態
以下、図面を参照して本発明の実施の形態について説明する。図１乃至図４は本発明によるエレベータ乗場の呼びボタン装置の第１の実施の形態を示す図である。
【００１５】
ここで図１はエレベータ乗場の外観図であり、図２は図１のＹ方向断面図であり、図３は図１のＺ方向断面図であり、図４は図１の呼びボタン装置を引き出し完了したときの床固定方法と配線方法の詳細図である。
【００１６】
図１乃至図４に示すように、エレベータ乗場は建屋壁面１と、建屋床５とを有している。
【００１７】
すなわちエレベータ乗場は２台のエレベータ用のものであり、エレベータ乗場の建屋壁面１には各エレベータ用のドアパネル２ａ，２ｂが設置され、ドアパネル２ａ，２ｂ上に乗場位置表示灯３ａ，３ｂが設置されている。またドアパネル２ａ，２ｂ間に、本発明によるエレベータ乗場の呼びボタン装置１３が設置されている。
【００１８】
呼びボタン装置１３は、建屋壁面１に引き出し自在に組み込まれ、前面に呼びボタン６ａを有する呼びボタン装置本体１３ａと、建屋床５上に配置され呼びボタン装置本体１３ａが移動する移動エリア１６とを備えている。このうち呼びボタン装置本体１３ａは柱形をなし、建屋壁面１内に組み込まれるとともに移動エリア１６上に設けられた引出レール１６ａ上に沿って引き出されながら移動する。
【００１９】
呼びボタン装置本体１３ａの前面には引出用のハンドル挿入口１４が設けられ、このハンドル挿入口１４内に引出用のハンドル１５が挿入されるようになっている。上述のように建屋床５には呼びボタン装置本体１３ａの下端部から前方に向かって延びる引出レール１６ａが設けられ、建屋床５のうち呼びボタン装置本体１３の引出完了地点には配線・固定口蓋１７が設けられている。
【００２０】
また図２に示すように、建屋壁面１には呼びボタン装置本体１３ａを組み込むための開口１ａが設けられている。また呼びボタン装置本体１３ａは表面板７を有する箱７ａを備え、呼びボタン６ａは表面板７に組み込まれている。表面板７を有する箱７ａは建屋壁面１の開口１ａ内に配置され、開口１ａ背面に設置された固定用磁石１８により固定されている。そして昇降路１１から延びる配線用ケーブル１２が呼びボタン装置本体１３ａ内部に延び、呼びボタンスイッチ６ｂから延びるコネクター２１ｂに接続されている。また呼びボタンスイッチ６ｂは呼びボタン６ａに連結されている。
【００２１】
図３において、呼びボタン装置本体１３ａが建屋壁面１から引き出されている。図３に示すように、呼びボタン装置本体１３ａの下部に、建屋床５に設けられた引出レール１６ａにベアリング機構１６ｃを介して係合する係合レール１６ｂが設けられている。建屋床５の上面と引出レール１６ａの上面とは段差は無く、さらに建屋床５と引出レール１６ａとの隙間は最小になるように調整し設置され、高齢者や身体障害者に対して配慮をしている。
【００２２】
図４は呼びボタン装置本体１３ａを完全に引き出したときの固定方法と配線方法を示す。呼びボタン装置本体１３ａの背面下部には開閉蓋１９が設けられている。また建屋床５に設置されている配線・固定口蓋１７の内側には、建屋床５内に固定穴２０ａとコネクター２１ａが設置されている。
【００２３】
次にこのような構成からなる本実施の形態の作用について説明する。
【００２４】
操作者は柱形の呼びボタン装置本体１３ａの前面に組み込まれた引出用のハンドル挿入口１４に引出用のハンドル１５を挿入し、回転してハンドル１５が抜けない状態になったことを確認する。次にハンドル１５を手前に引き、呼びボタン装置本体１３ａを建屋壁面１から前面側に引き出し、配線器具２１ｂにおいて呼びボタンスイッチ６ｂから配線用ケーブル１２を取外す。このとき、呼びボタン装置本体１３ａは建屋壁面１の開口１９背面に設置された固定用磁石１８より離れ、引出レール１６ａ上を移動する。
【００２５】
その後、操作者は呼びボタン装置本体１３ａを引出完了地点まで引き出す。次に操作者は、呼びボタン装置本体１３ａの背面下部にある開閉蓋１９を開け、呼びボタン装置本体１３ａ内部から建屋床５に設置されている配線・固定口蓋１７を開ける。次に操作者は固定穴２０ａに固定棒２０ｂを差込み、呼びボタン装置本体１３ａを建屋床５を固定し、コネクター２１ａに呼びボタンスイッチ６ｂから延びるコネクター２１ｂを差込み、開閉蓋１９を閉じる。その後、引出用のハンドル１５をハンドル挿入口１４から抜く。
【００２６】
以上のように本実施の形態によれば、通常はエレベータ乗場の建屋壁面１に組み込まれた呼びボタン装置本体１３ａを建屋床５上で移動させ、建屋床５に自立させることができる。このためエレベータ乗場が混雑していても、特に高齢者および車椅子使用者や、視覚障害を持つ身体障害者にとって呼び登録が容易になり、緊急時にも利用ができる。このような環境を整備することにより、建物の利用が身体障害者にも開放され、あらゆる場所へアクセスすることができる。
【００２７】
このように移動可能な呼びボタン装置１３を設けたことにより建物のテナント入れ替えや催し物内容によりエレベータ乗場に集う利用者層を判断し、呼びボタンの設置位置を選択できる。このことにより、建物の利便性をさらに向上させることができる。
【００２８】
なお、上記実施の形態において、引出用ハンドル１５によって呼びボタン装置本体１３ａを引き出す例を示したが、これに限らず駆動機構３０によって呼びボタン装置本体１３ａを建屋壁面１から引き出してもよい。この場合、駆動機構３０は、呼びボタン装置本体１３ａ内に設けられたタイマーを内蔵した制御部３２により作動される。すなわち制御部３２のタイマーにより予め定められた時間毎に駆動機構３０が作動して、呼びボタン装置本体１３ａを引き出すようになっている。
【００２９】
また、制御部３２のタイマーではなく、呼びボタン装置本体１３ａに設けられた作動ボタン３１を操作して制御部３２により駆動機構３０を作動させ、呼びボタン装置本体１３ａを引き出してもよい。
【００３０】
第２の実施の形態
次に図５により、本発明の第２の実施の形態について説明する。図５に示す第２の実施の形態は、呼びボタン装置本体１３ａの前面に呼びボタン６ａと呼びボタンスイッチ６ｂを設けるとともに、呼びボタン装置本体１３ａの側面にも呼びボタン６ａと呼びボタンスイッチ６ｂを追加して設けたものである。
【００３１】
図５に示す第２の実施の形態において、図１乃至図４に示す第１の実施の形態と同一部分には同一符号を付して詳細な説明は省略する。
【００３２】
建屋壁面１から前方に呼びボタン装置本体１３ａを引き出し自立させたとき、呼びボタン装置本体１３ａの前面だけでなく側面においても呼びボタン６ａの操作を行うことができ、身体障害者にとって呼び登録を更に容易に行うことができる。
【００３３】
第３の実施の形態 
次に図６により、本発明の第３の実施の形態について説明する。図６に示す第３の実施の形態は、呼びボタン装置本体１３ａの前面だけでなく、側面および上面に呼びボタン６ａと呼びボタンスイッチ６ｂを追加して設け、建屋壁面１より前方に引き出し自立させたとき、前面だけでなく側面および上面でも呼びボタン６ａを操作できる。このことにより、身体障害者にとって呼び登録を更に容易に行うことができる。
【００３４】
図６に示す第３の実施の形態において、図１乃至図４に示す第１の実施の形態と同一部分には同一符号を付して詳細な説明は省略する。
【００３５】
第４の実施の形態
次に図７により本発明の第４の実施の形態について説明する。
【００３６】
図７に示す第４の実施の形態は、建屋床５内に呼びボタン装置本体１３ａを引出し自在に組込んだものであり、他は図１乃至図４に示す第１の実施の形態と略同一である。
【００３７】
図７において、建屋壁面１前方の建屋床５内部に呼びボタン装置本体１３ａがその長手方向を水平方向に向けて収納配置されている。呼びボタン装置本体１３ａは、建屋床５と同一平面上にある開閉蓋２２および追加蓋２２ａにより覆われている。また呼びボタン装置本体１３ａは、回転軸２２ｂを中心として建屋床５上で回転しながら引出され、建屋床５上において垂直方向に自立するようになっている。
【００３８】
図７において、操作者は建屋床５と同一平面上にある開閉蓋２２と追加蓋２２ａを取手４２、４２ａを把持して引き上げ、建屋床５内に水平方向に収納されていた呼びボタン装置本体１３ａを、回転軸２２ｂを中心として建屋床５上で回転させながら引出し、建屋床５上において垂直方向に自立させる。
【００３９】
次に、呼びボタン装置本体１３ａの下方に設けられた保持体２２ｃの貫通孔２２ｄに、保持ピン２３を挿入し、さらにこの保持ピン２３を建屋床５内の支持部（図示せず）に係合させる。
【００４０】
このことにより、呼びボタン装置本体１３ａを建屋床５上において垂直方向に自立させた状態で、保持ピン２３および貫通孔２２ｄを有する保持体２２ｃにより保持することができる。
【００４１】
この場合、保持ピン２３、および貫通孔２２ｄを有する保持体２２ｃにより保持機構が構成される。
【００４２】
図７において、建屋壁面１に呼びボタン装置１３を設け、かつ建屋床５内に呼びボタン装置本体１３ａを引出し自在に設けることにより、呼びボタン６ａの操作をより容易に行うことができる。
【００４３】
第５の実施の形態
次に図８により本発明の第５の実施の形態について説明する。
【００４４】
図８に示す第５の実施の形態は、建屋床５内に引き出し自在に呼びボタン装置本体１３ａをその長手方向が垂直方向を向くよう収納するとともに、この呼びボタン装置本体１３ａを垂直方向に保持したままリフト（駆動機構）２５によって建屋床５上まで上昇させるようにしたものである。
【００４５】
図８に示す第５の実施の形態において、図７に示す第４の実施の形態と同一部分には同一符号を付して詳細な説明は省略する。
【００４６】
図８において、建屋床５内に収納された呼びボタン装置本体１３ａは、垂直方向に配置され、開閉蓋２２によって覆われている。
【００４７】
操作者はまず取手４２を把持して開閉蓋２２を引上げる。次にリフト２５により呼びボタン装置本体１３ａが垂直方向に保持された状態で上昇し、建屋床５上まで引出される。
【００４８】
次に呼びボタン装置本体１３ａの下部に設けられた保持体２２ｃの貫通孔２２ｄに保持ピン２４を挿入し、この保持ピン２４を建屋床５内の支持部（図示せず）に係合させて、呼びボタン装置本体１３ａを建屋床５上に保持する。
【００４９】
図８において、建屋壁面１に呼びボタン装置１３を設け、かつ建屋床５内に呼びボタン装置本体１３ａを引き出し自在に設けることにより、呼びボタン６ａの操作をより容易に行うことができる。
【図面の簡単な説明】
【００５０】
【図１】本発明によるエレベータ乗場の呼びボタン装置の第１の実施の形態を示す外観図。
【図２】図１のＸ−Ｘ方向断面図。
【図３】図１のＹ−Ｙ方向断面図。
【図４】図１の床内部を示す詳細図。
【図５】本発明によるエレベータ乗場の呼びボタン装置の第２の実施の形態を示す外観図。
【図６】本発明によるエレベータ乗場の呼びボタン装置の第３の実施の形態を示す外観図。
【図７】本発明によるエレベータ乗場の呼びボタン装置の第４の実施の形態を示す外観図。
【図８】本発明によるエレベータ乗場の呼びボタン装置の第５の実施の形態を示す外観図。
【図９】従来のエレベータ乗場の呼びボタン装置を示す外観図。
【図１０】図９のＺ−Ｚ方向断面図。
【符号の説明】
【００５１】
１  建屋壁面
２ａ  ドアパネル
２ｂ  ドアパネル
３ａ  乗場位置表示灯
３ｂ  乗場位置表示灯
５  建屋床
６ａ  呼びボタン
６ｂ  呼びボタンスイッチ
７  表面板
７ａ  箱
８  箱
９  壁本体
１０  取付金具
１１  昇降路
１２  配線用ケーブル
１３  呼びボタン装置
１３ａ  呼びボタン装置本体
１４  ハンドル挿入口
１５  ハンドル
１６  移動エリア
１６ａ  引出レール
１６ｂ  係合レール
１６ｃ  ベアリング機構
１７  配線・固定口蓋
１８  固定用磁石
１９  開閉蓋
２０ａ  固定穴
２０ｂ  固定棒
２１ａ  コネクター
２１ｂ  コネクター
２２  開閉蓋
２２ａ  追加蓋
２２ｂ  回転軸
２２ｃ  保持体
２２ｄ  貫通孔
２３  保持ピン
２４  保持ピン
２５  リフト
４２  取手
４２ａ  取手
【図１】
2006117407.tif 000003
【図２】
2006117407.tif 000004
【図３】
2006117407.tif 000005
【図４】
2006117407.tif 000006
【図５】
2006117407.tif 000007
【図６】
2006117407.tif 000008
【図７】
2006117407.tif 000009
【図８】
2006117407.tif 000010
【図９】
2006117407.tif 000011
【図１０】
2006117407.tif 000012